(57)【要約】【課題】コピー条件の設定が完了したにも拘わらず，ＰＣからの印刷ジョブデータの処理が開始されてしまったため，コピーを開始させることが出来ないといったことが生じない作業環境を実現できる複合機を、提供する。【解決手段】複合機１０を、ユーザによってコピーモードへの移行指示が出されたときに、データ受信部１５が、ＰＣからの印刷ジョブデータをデータ解析部１６に供給する処理を開始せず、かつ、制御部１４からのコピージョブデータをデータ解析部１６に供給する処理を実行可能な状態となる装置として構成しておく。【選択図】  図１
2006308887.tif 000002
【特許請求の範囲】
【請求項１】
少なくともコピー装置及びプリンタとして動作可能な複合機であって、
コピーモードへの移行指示，コピー条件の設定指示，コピーの開始指示を受付可能なユーザインタフェース手段と、
供給されたジョブデータに応じた内容の印刷物を生成するための印刷物生成手段と、
原稿をスキャンすることにより，当該原稿のコピーを前記印刷物生成手段に生成させるためのコピージョブデータを生成するコピージョブデータ生成手段と、
他装置から送信されてきた印刷ジョブデータを受信して前記印刷物生成手段に供給する第１処理と，前記コピージョブデータ生成手段により生成されたコピージョブデータを前記印刷物生成手段に供給する第２処理とを実行可能であると共に、前記ユーザインタフェース手段によってコピーモードへの移行指示が受け付けられた後には、前記第１処理を開始することが出来ず，かつ，前記第２処理を実行可能な状態での動作を開始するデータ受信手段と
を、備えることを特徴とする複合機。
【請求項２】
前記データ受信手段が、
前記ユーザインタフェース手段によって所定の指示が受け付けられたときと、前記ユーザインタフェース手段によって何等の指示が受け付けられることなく所定時間が経過したときとに、前記第１処理を実行可能な状態での動作を開始する手段である
ことを特徴とする請求項１記載の複合機。
【発明の詳細な説明】
【技術分野】
【０００１】
本発明は、複合機に関する。
【背景技術】
【０００２】
周知のように、オフィス等で使用されている一般的な複合機（プリンタ、コピー装置等として動作可能な装置）は、ユーザがコピー条件を設定している間に、印刷ジョブデータが送信されてきた場合、当該印刷ジョブデータの処理を開始してしまう装置（例えば、特許文献１参照。）となっている。このため、既存の複合機が設置されたオフィス等では、コピー条件の設定が完了したにも拘わらず、コピーを開始させることが出来ないといったことがしばしば生じていた。
【０００３】
【特許文献１】特開平８−２８９０７５号公報
【発明の開示】
【発明が解決しようとする課題】
【０００４】
そこで、本発明の課題は、コピー条件の設定が完了したにも拘わらず，コピーを開始させることが出来ないといったことが生じない作業環境を実現できる複合機を、提供することにある。
【課題を解決するための手段】
【０００５】
上記課題を解決するために、本発明の複合機は、コピーモードへの移行指示，コピー条件の設定指示，コピーの開始指示を受付可能なユーザインタフェース手段と、供給されたジョブデータに応じた内容の印刷物を生成するための印刷物生成手段と、原稿をスキャンすることにより、当該原稿のコピーを印刷物生成手段に生成させるためのコピージョブデータを生成するコピージョブデータ生成手段と、他装置から送信されてきた印刷ジョブデータを受信して印刷物生成手段に供給する第１処理と，コピージョブデータ生成手段により生成されたコピージョブデータを印刷物生成手段に供給する第２処理とを実行可能であると共に、ユーザインタフェース手段によってコピーモードへの移行指示が受け付けられた後には、第１処理を開始することが出来ず，かつ，第２処理を実行可能な状態での動作を開始するデータ受信手段とを、備える。
【０００６】
すなわち、本発明の複合機は、ユーザがコピーモードへの移行指示を出すと、印刷ジョブデータを印刷物生成手段に供給しない状態に移行する構成を有する。従って、この複合機を、オフィス等に設置しておけば、コピー条件の設定が完了したにも拘わらず，コピーを開始させることが出来ないといったことが生じない作業環境を実現できることになる。
【０００７】
なお、本発明の複合機のデータ受信手段は、ユーザインタフェース手段によってコピーモードへの移行指示が受け付けられた後には、第１処理（他装置から送信されてきた印刷ジョブデータを受信して印刷物生成手段に供給する処理）を実行せず、かつ、第２処理を実行可能な状態での動作を開始する手段でありさえすれば良い。換言すれば、データ受信手段は、他装置から送信されてきた印刷ジョブデータを受信しない状態となる手段であっても良く、他装置から送信されてきた印刷ジョブデータを受信するが、印刷物生成手段に供給しない手段であっても良い。
【０００８】
また、本発明の複合機を実現するに際しては、データ受信手段を、ユーザインタフェース手段によって所定の指示が受け付けられたときにのみ、第１処理を実行可能な状態での動作を開始する手段としておくことも出来る。ただし、そのように複合機を構成しておいた場合、ユーザが所定の指示を出し忘れると、印刷ジョブデータを処理できない状態が継続してしまうことになるので、データ受信手段を、ユーザインタフェース手段によって所定の指示が受け付けられたときと、ユーザインタフェース手段によって何等の指示が受け付けられることなく所定時間が経過したときとに、第１処理を実行可能な状態での動作を開始する手段としておくことが望ましい。
【発明を実施するための最良の形態】
【０００９】
以下、本発明を実施するための最良の形態を、図面を参照して詳細に説明する。
【００１０】
まず、図１〜図４を用いて、本発明の一実施形態に係る複合機１０の概要を説明する。
【００１１】
図１に示してあるように、本実施形態に係る複合機１０は、ＦＡＸ送受信部１１，走査パネル部１２，画像走査部１３，制御部１４，データ受信部１５，データ解析部１６及びデータ印刷部１７を、備えている。
【００１２】
この複合機１０が備えるＦＡＸ送受信部１１は、ファクシミリ信号の送受信を行うためのユニット（モデム）であり、画像走査部１３は、自身にセットされた原稿上の画像をスキャンすることにより当該画像を表す画像データを生成する機能を有するユニット（スキャナ）である。
【００１３】
データ受信部１５は、ＰＣ（パーソナルコンピュータ）から送信されてきた印刷ジョブデータや、制御部１４から送信されてきたＦＡＸジョブデータ，コピージョブデータを受信してデータ解析部１６に供給するためのユニット（各種Ｉ／Ｆ回路とメモリとからなる回路）である。このデータ受信部１５の具体的な動作手順については後述するが、図１から明らかなように、データ受信部１５は、ＰＣを、各種ケーブル（パラレルケーブル，ＵＳＢケーブル，ネットワークケーブル）にて接続できるものとなっている。
【００１４】
データ解析部１６は、データ受信部１５が受信したジョブデータを解析することにより、所定形式の印刷イメージデータを生成してデータ印刷部１７に供給する機能を有するユニット（画像処理用集積回路等からなる回路）である。このデータ解析部１６は、ジョブデータを処理中であるか否かを制御部１４に通知する機能も、有している。
【００１５】
データ印刷部１７は、データ解析部１６から供給された印刷イメージデータに応じた内容の印刷を用紙上に行うユニット（印刷エンジン）である。なお、本実施形態に係る複合機１０が備えるデータ印刷部１７は、Ｃ，Ｍ，Ｙ，Ｋトナーによるカラー印刷が可能なものとなっている。
【００１６】
操作パネル部１２は、複合機１０のユーザから各種の指示を得るためのインタフェースユニットである。この操作パネル部１２は、図２に示してあるように、ＬＣＤ（液晶ディスプレイ）２５と、各種の押しボタンスイッチ（コピーＳＷ２１，ＦＡＸＳＷ２２，スキャンＳＷ２３，設定ＳＷ２４，拡張ＳＷ２６，モノクロＳＷ２７，カラーＳＷ２８等）と，各種のＬＥＤとを備えたユニットとなっている。
【００１７】
制御部１４は、操作パネル部１２に対する操作を通じてユーザから各種の処理の実行指示を受け付ける機能、ＦＡＸ送受信部１１が受信したファクシミリ信号に応じた内容のＦＡＸジョブデータを生成してデータ受信部１５に供給（送信）する機能、画像走査部１３に原稿のイメージデータに生成させ，当該イメージデータに応じた内容のファクシミリ信号をＦＡＸ送受信部１１に送信させる機能、画像走査部１３に原稿のイメージデータを生成させ，当該イメージデータに応じた内容のコピージョブデータを生成してデータ受信部１５に供給（送信）する機能等を有するユニット（ＣＰＵ，ＲＯＭ，ＲＡＭ等からなる回路）である。
【００１８】
この制御部１４は、複合機１０を、図３に模式的に示したように動作モードが遷移する装置として動作させるユニットとなっている。なお、図３及び以下の説明において、プリンタモードとは、複合機１０がプリンタ（ローカルプリンタ／ネットワークプリンタ）として機能する動作モードのことである。また、コピーモード，ＦＡＸモード，スキャンモードとは、それぞれ，複合機１０が、コピー装置，ファクシミリ装置，スキャン装置（原稿を画像データファイル化する装置）として機能する動作モードのことであり、設定モードとは、複合機１０が、各種動作条件（節電状態への移行条件等）の設定を行える状態で機能する動作モードのことである。
【００１９】
また、制御部１４は、通常は、複合機１０をプリンタモードで動作させるユニットであると共に、複合機１０をプリンタモードで動作させている場合には、ＬＣＤ２５上に図４（ａ）に示した構成のプリントモードステータス画面を表示し、複合機１０をコピーモードで動作させている場合には、ＬＣＤ２５上に図４（ｂ）に示した構成のコピーモード基本画面等を表示するユニットとなっている。
【００２０】
以上のことを前提に、以下、本実施形態に係る複合機１０の構成及び動作を、さらに具体的に説明する。
【００２１】
まず、制御部１４の動作を説明する。
【００２２】
制御部１４は、動作モードがコピーモードではない状況下，コピーＳＷ２１（図２）が押下された場合，図５に示した手順の処理を実行するユニットとして構成されている。
【００２３】
すなわち、この場合、制御部１４は、まず、データ受信部１５に対してＭＦＰポート占有要求を出力する(ステップＳ１０１)。なお、このステップＳ１０１の処理で出力されるＭＦＰポート占有要求、後述するステップＳ１１２の処理で出力されるＭＦＰポート占有解除要求に対するデータ受信部１５の動作は、後ほどまとめて説明することにする。
【００２４】
次いで、制御部１４は、データ解析部１６が印刷ジョブデータを処理中であるか否かを判断する(ステップＳ１０２)。
【００２５】
そして、制御部１４は、データ解析部１６が印刷ジョブデータを処理中でなかった場合(ステップＳ１０２；ＮＯ)には、図６に示したコピーモード移行画面をＬＣＤ２５上に一定時間（本実施形態では、３秒）表示(ステップＳ１０６)してから、コピーモード基本画面（図４（ｂ））をＬＣＤ２５上に表示する(ステップＳ１０７)。
【００２６】
一方、データ解析部１６が印刷ジョブデータを処理中であった場合(ステップＳ１０２；ＹＥＳ)、制御部１４は、図７に示した状況提示画面をＬＣＤ２５上に一定時間（本実施形態では、３秒）表示する処理(ステップＳ１０３)と、プリントモードステータス画面（図４（ａ））をＬＣＤ２５上に表示する処理(ステップＳ１０４)とを、行う。
【００２７】
その後、制御部１４は、データ解析部１６による印刷ジョブデータの処理が完了するというイベントや、いずれかのモードＳＷ（コピーＳＷ２１，ＦＡＸＳＷ２２，スキャンＳＷ２３，設定ＳＷ２４）が押下されるというイベントの発生を待機する処理（ステップＳ１０５）を開始する。そして、制御部１４は、いずれかのモードＳＷが押下された場合（ステップＳ１０５；モードＳＷ押下）には、データ受信部１５に対してＭＦＰポート占有解除要求を出力(ステップＳ１１２)してから、押下されたモードＳＷに応じたモード（図３参照）用の処理を開始する。
【００２８】
また、制御部１４は、モードＳＷが押下されることなく、データ解析部１６による印刷ジョブデータの処理が完了した場合（ステップＳ１０５；印刷ジョブ完了）には、コピーモード移行画面（図６）をＬＣＤ２５上に一定時間表示する処理(ステップＳ１０６)と、コピーモード基本画面（図４（ｂ））をＬＣＤ２５上に表示する処理(ステップＳ１０７)とを、行う。
【００２９】
そして、コピーモード基本画面をＬＣＤ２５上に表示した制御部１４は、いずれかのモードＳＷが押下されるというイベント，モノクロＳＷ２７或いはカラーＳＷ２８（以下、スタートＳＷと表記する）が押下されるというイベント，及び，拡張スイッチ２６が押下されるというイベントの発生を待機する処理（ステップＳ１０８）を開始する。そして、制御部１４は、拡張スイッチ２６が押下された場合（ステップＳ１０８；その他）には、図８に示したようなコピー拡張画面をＬＣＤ２５上に表示する処理をステップＳ１０９にて行ってから、いずれかのモードＳＷが押下されるというイベント，スタートＳＷが押下されるというイベント，及び，拡張スイッチ２６やカーソルスイッチ等が押下されるというイベントの発生を待機する処理（ステップＳ１０８）を開始する。
【００３０】
この状態（コピー拡張画面をＬＣＤ２５上に表示している状態）でカーソルスイッチが押下された場合（ステップＳ１０８；その他）、制御部１４は、ステップＳ１０９にて、コピー拡張画面上の他のメニューを反転表示させる処理や，ＬＣＤ２５上に他の画面（拡縮率を設定するための画面等）を表示する処理を行ってから、再び、スタートＳＷ等が押下されるのを待機する状態（ステップＳ１０８の処理を行っている状態）となる。
【００３１】
そして、制御部１４は、いずれかのモードＳＷが押下された場合（ステップＳ１０８；モードＳＷ押下）には、データ受信部１５に対してＭＦＰポート占有解除要求を出力(ステップＳ１１２)してから、押下されたモードＳＷに応じたモード用の処理を開始する。
【００３２】
また、制御部１４は、スタートＳＷ（モノクロＳＷ２７或いはカラーＳＷ２８）が押下された場合（ステップＳ１０８；スタートＳＷ押下）には、図９に示したようなコピー実行中画面をＬＣＤ２５上に表示(ステップＳ１１０)してから、画像走査部１３に，セットされている原稿に関するイメージデータを生成させ，当該イメージデータに応じた内容のコピージョブデータを生成してデータ受信部１５に供給（送信）する処理であるコピージョブデータ生成・供給処理(ステップＳ１１１)を行う。なお、モノクロＳＷ２７が押下された場合に制御部１４が実行するコピージョブデータ生成・供給処理は、モノクロ印刷物がデータ印刷部１７により印刷されることになるコピージョブデータを生成するものとなっており、カラーＳＷ２８が押下された場合に制御部１４が実行するコピージョブデータ生成・供給処理は、カラー印刷物がデータ印刷部１７により印刷されることになるコピージョブデータを生成するものとなっている。
【００３３】
そして、コピージョブデータ生成・供給処理を終了した制御部１４は、ステップＳ１０７以降の処理を再び開始する。すなわち、制御部１４は、コピーモード基本画面（図４（ｂ））をＬＣＤ２５上に表示(ステップＳ１０７)してから、コピー条件の設定指示やコピーの開始指示を受け付ける状態（ステップＳ１０８及びＳ１０９）での動作を開始する。
【００３４】
なお、流れ図（図５）への表記は省略してあるが、制御部１４は、ステップＳ１０８において、操作パネル部１２上のいずれのＳＷも押下されることなく所定時間が経過した場合、ステップＳ１１２の処理を行ってから、プリントモードテータス画面をＬＣＤ２５上に表示する（プリントモードでの動作を開始する）ユニットとなっている。
【００３５】
次に、データ解析部１６の動作を説明する。
【００３６】
データ解析部１６は、複合機１０の電源が投入され，データ受信部１５の初期化が完了すると、図１０に示した手順の処理を開始するユニットとなっている。
【００３７】
すなわち、データ解析部１６は、複合機１０の電源が投入され，データ受信部１５の初期化が完了すると、まず、データ受信部１５に対してポート切替要求（詳細は後述）を出力する(ステップＳ２０１)。その後、データ解析部１６は、データ受信部１５からポート確定通知（詳細は後述）が入力されるのを待機(ステップＳ２０２)し、データ受信部１５からポート確定通知が入力された場合(ステップＳ２０２；ＹＥＳ)には、データ受信部１５からジョブデータ（詳細は後述）を取得して解析することにより印刷イメージデータを生成してデータ印刷部１７に供給する処理(ステップＳ２０３)を行う。そして、ステップＳ２０３の処理を終えたデータ解析部１６は、再び、ステップＳ２０１以降の処理を開始する。
【００３８】
次に、データ受信部１５の動作を説明する。
【００３９】
データ受信部１５は、複合機１０の電源が投入されると、まず、自身を初期化する処理（ＰＣ／制御部１４からの各種ジョブデータを受信可能な状態とするための処理）を行うユニットとして構成されている。
【００４０】
また、データ受信部１５は、自身を初期化する処理が完了すると、上記したＭＦＰポート占有要求が制御部１４から入力された場合には、ＭＦＰポート占有状態となったことを記憶し、上記したＭＦＰポート占有解除要求が制御部１４から入力された場合には、ＭＦＰポート占有状態ではななくなったことを記憶するユニットとしての動作を開始する。
【００４１】
さらに、データ受信部１５は、データ解析部１６からポート切替要求が入力された場合には、図１１に示した手順の処理を実行し、ＰＣ或いは制御部１４からジョブデータが送信されてきた場合には、そのジョブデータを受信すると共に、図１２に示した手順の処理を実行するユニットとしての動作も開始する。
【００４２】
すなわち、データ受信部１５は、データ解析部１６からポート切替要求が入力された場合には、図１１に示してあるように、まず、要処理データリストが空であるか否かを判断する(ステップＳ３００)。ここで、要処理データリストとは、幾つか（０個以上の）ポート名のリストのことである。この要処理データリストは、図１２のステップＳ４０７の処理（詳細は後述）により，その末尾にポート名が追加されるリストとなっている。
【００４３】
要処理データリストが空であった場合(ステップＳ３００；ＹＥＳ)、データ受信部１５は、データ解析部１６の状態（図では、解析部状態）がデータ供給可状態であることを記憶(ステップＳ３０２)してから、この図の処理（入力されたポート切替要求に対する処理）を終了する。
【００４４】
要処理データリストが空でなかった場合(ステップＳ３００；ＮＯ)、データ受信部１５は、ＭＦＰポート占有状態であるか否かを判断する(ステップＳ３０１)。そして、データ受信部１５は、ＭＦＰポート占有状態であった場合(ステップＳ３０１；ＹＥＳ)には、ステップＳ３０２の処理を行ってから、この図の処理を終了する。一方、ＭＦＰポート占有状態でなかった場合(ステップＳ３０１；ＮＯ)、データ受信部１５は、要処理データリストから先頭のポート名を取り出して（要処理データリストの先頭のポート名を読み出すと共に、当該ポート名を要処理データリストから削除して）、当該ポート名で識別されるポートを処理対象ポートとして特定すると共に、処理対象ポートが確定したことを示すポート確定通知をデータ解析部１６に出力する処理(ステップＳ３０３)を行う。なお、処理対象ポートとは、そのポートから受信されたジョブデータがデータ印刷部１７に供給されることになる（ステップＳ２０３の処理の処理対象となる）ポートのことである。
【００４５】
その後、データ受信部１５は、データ解析部１６の状態（図では、解析部状態）がデータ供給不可状態であることを記憶(ステップＳ３０４)してから、この図の処理（入力されたポート切替要求に対する処理）を終了する。そして、データ受信部１５は、処理対象ポートから受信されたジョブデータをデータ印刷部１７に供給する処理（ステップＳ２０３の処理に対応する処理）等を行っている状態となる。
【００４６】
また、データ受信部１５は、ＰＣ或いは制御部１４からジョブデータが送信されてきた場合には、図１２に示してあるように、まず、受信されたジョブデータが、制御部１４からのコピージョブデータであるか否かを判断する(ステップＳ４０１)。
【００４７】
受信したジョブデータが制御部１４からのコピージョブデータであった場合(ステップＳ４０１；ＹＥＳ)、データ受信部１５は、ＭＦＰポートを処理対象ポートとして特定すると共に、ポート確定通知をデータ解析部１６に出力する処理(ステップＳ４０５)を行う。ここで、ＭＦＰポートとは、制御部１４からのジョブデータを受信するためのポートのことである。
【００４８】
そして、データ受信部１５は、データ解析部１６の状態がデータ供給不可状態であることを記憶する処理(ステップＳ４０６)を行ってから、この図の処理を終了する。すなわち、データ受信部１５は、コピージョブデータ（ＭＦＰポートから受信されたジョブデータ）をデータ印刷部１７に供給する処理（ステップＳ２０３の処理に対応する処理）等を行う状態となる。
【００４９】
一方、受信したジョブデータが制御部１４からのコピージョブデータでなかった場合(ステップＳ４０１；ＮＯ)、データ受信部１５は、ＭＦＰポート占有状態であるか否かを判断する（ステップＳ４０２）。そして、データ受信部１５は、ＭＦＰポート占有状態であった場合（ステップＳ４０２；ＹＥＳ）には、ジョブデータが受信されたポートのポート名（図では、データ受信ポート名）を要処理データリストの末尾に追加(ステップＳ４０７)してから、この図の処理を終了する。
【００５０】
また、データ受信部１５は、ＭＦＰポート占有状態でなかった場合（ステップＳ４０２；ＹＥＳ）には、データ解析部１６がデータ供給可状態であるか否か（図１１参照）を判断する(ステップＳ４０３)。そして、データ受信部１５は、データ解析部１６がデータ供給可状態でなかった場合(ステップＳ４０３；ＮＯ)には、ＭＦＰポート占有状態であった場合と同様に、ジョブデータが受信されたポートのポート名を要処理データリストの末尾に追加(ステップＳ４０７)してから、この図の処理を終了する。
【００５１】
また、データ解析部１６がデータ供給可状態であった場合(ステップＳ４０３；ＹＥＳ)、データ受信部１５は、今回，ジョブデータが受信されたポートを処理対象ポートとして特定すると共に、ポート確定通知をデータ解析部１６に出力する処理(ステップＳ４０４)を行う。そして、データ受信部１５は、データ解析部１６の状態がデータ供給不可状態であることを記憶(ステップＳ４０６)してから、この図の処理を終了する。
【００５２】
以上の説明から明らかなように、本実施形態に係る複合機１０は、ユーザがコピーＳＷ２１を押下した場合、制御部１４からデータ受信部１５に対してＭＦＰポート占有要求が出力され、その結果として、データ受信部１５が、コピージョブデータのみをデータ解析部１６に供給する状態（ＰＣから受信した印刷ジョブデータをデータ解析部１６に供給しない状態）となる装置として構成されている。
【００５３】
従って、この複合機１０をオフィス等に設置しておけば、コピー条件の設定が完了したにも拘わらず，ＰＣからの印刷ジョブデータの処理が開始されてしまったため，コピーを開始させることが出来ないといったことが生じない作業環境を、実現できることになる。
【００５４】
《変形形態》
上記した複合機１０は各種の変形を行うことが出来る。例えば、印刷ジョブデータの処理中にコピー条件が設定できる装置に複合機１０を変形することが出来る。また、モードＳＷが押下されない限り、データ受信部１５のＭＦＰポート占有状態が解除されない装置に、複合機１０を変形することも出来る。ただし、そのように変形した場合、複合機１０が、コピー作業を終えたユーザがモードＳＷを押下し忘れると、印刷ジョブデータを処理できない状態が継続してしまう装置となってしまうことになるので、上記構成を採用しておくことが望ましい。
【図面の簡単な説明】
【００５５】
【図１】本発明の一実施形態に係る複合機の構成図。
【図２】実施形態に係る複合機が備える操作パネル部の外観図。
【図３】実施形態に係る複合機の動作の説明図。
【図４】実施形態に係る複合機のＬＣＤに表示されるプリントモードステータス画面及びコピーモード基本画面の説明図。
【図５】実施形態に係る複合機が備える制御部が実行する処理の流れ図。
【図６】実施形態に係る複合機のＬＣＤに表示されるコピーモード移行画面の説明図。
【図７】実施形態に係る複合機のＬＣＤに表示される状況提示画面の説明図。
【図８】実施形態に係る複合機のＬＣＤに表示されるコピー拡張画面の説明図。
【図９】実施形態に係る複合機のＬＣＤに表示されるコピー実行中画面の説明図。
【図１０】実施形態に係る複合機のデータ解析部が実行する処理の流れ図。
【図１１】実施形態に係る複合機のデータ受信部が，ポート切替要求入力時に実行する処理の流れ図。
【図１２】実施形態に係る複合機のデータ受信部が，ジョブデータ受信時に実行する処理の流れ図。
【符号の説明】
【００５６】
１０  複合機、  １１  ＦＡＸ送受信部、  １２  走査パネル部、
１３  画像走査部、  １４  制御部、  １５  データ受信部、  １６  データ解析部
１７  データ印刷部、  ２１  コピーＳＷ、  ２２  ＦＡＸＳＷ、
２３  スキャンＳＷ、  ２４  設定ＳＷ、  ２５  ＬＣＤ、  ２６  拡張ＳＷ
２７  モノクロＳＷ、  ２８  カラーＳＷ
【図１】
2006308887.tif 000003
【図２】
2006308887.tif 000004
【図３】
2006308887.tif 000005
【図４】
2006308887.tif 000006
【図５】
2006308887.tif 000007
【図６】
2006308887.tif 000008
【図７】
2006308887.tif 000009
【図８】
2006308887.tif 000010
【図９】
2006308887.tif 000011
【図１０】
2006308887.tif 000012
【図１１】
2006308887.tif 000013
【図１２】
2006308887.tif 000014